(57)【要約】【課題】釣竿と釣糸との接触を防止することができる釣竿（ベイトキャスティングロッド）の提供。【解決手段】釣竿本体１１に複数の釣糸ガイド１３が設けられている。釣糸ガイド１３は、釣糸２７を釣竿本体１１の径方向に移動させ付勢する付勢機構１７を備える。付勢機構１７は、ガイドリング１９の釣糸載置面２８により構成される。釣糸載置面２８は、釣竿本体１１の径方向に延びる平面により構成されている。【選択図】　図２
2004081040.tif 000002
【特許請求の範囲】
【請求項１】
細長棒状に形成された釣竿本体と、
釣竿本体の基端部を支持すると共に釣糸が繰出又は巻取自在に巻回された釣用リールを保持するグリップと、
釣竿本体の上面に長手方向に沿って複数配置され、釣糸を支持案内する釣糸ガイドとを有し、
当該釣糸ガイドは、上記釣糸に所定の張力が生じた場合に当該釣糸を上記釣竿本体の中心軸に対して径方向に移動させて所定位置に付勢する付勢機構を備えている釣竿。
【請求項２】
上記釣糸ガイドは、
釣竿本体に固定されたガイドフレームと、
ガイドフレームに支持され、上記釣糸を支持する支持部を備えたガイドリングとを有し、
上記付勢機構は、上記支持部に形成され、上記釣竿本体の径方向に延びる釣糸載置面を有する請求項１記載の釣竿。
【請求項３】
上記釣糸載置面は、平面に形成されている請求項２記載の釣竿。
【請求項４】
上記付勢機構は、
少なくとも釣竿本体の穂先部に配置されている釣糸ガイドに備えられている請求項１ないし３のいずれかに記載の釣竿。
【発明の詳細な説明】
【０００１】
【発明の属する技術の分野】
この発明は、釣竿に関し、特に、釣竿に設けられている釣糸ガイドの構造に関するものである。
【０００２】
【従来の技術及び発明が解決しようとする課題】
ベイトキャスティングリールが装着される釣竿は、例えば、図５が示すように、リール１が釣竿２に対して上向きに装着される。このような場合に、釣竿２に設けられた釣糸ガイド３は上向きになるように配置され、リール１から引き出された釣糸４は、釣竿２の上縁に沿うように釣糸ガイド３によって支持され案内される。釣糸ガイド３は、通常円形のガイドリングを備えており、釣糸４は、ガイドリングの内部に挿通されている。
このような釣竿では、魚がヒットして釣竿が大きく湾曲した場合に（同図が示す状態）、釣糸４が釣竿２の表面（例えば、同図が示すポイントＰ）と接触することがある。
【０００３】
図６は、上記接触点Ｐを釣竿１の上方から見た要部拡大図である。
釣糸４と釣竿２との単なる接触はそれ自体特に問題はない。
ところが、魚がヒットした際に釣人は、魚の向きを強制的に変えたいとき等には、釣竿２を左右に振る場合があり、そのような場合に、釣糸４は、上記ガイドリング内を移動する。また、釣竿２のスパイン（釣竿の製作上、当該釣竿に曲がりにくい方向が発現する性質）の影響により、釣糸４は、隣り合う釣糸ガイド３間において、釣糸４の位置が異なってしまう場合もある。
このため、釣糸４は、図６が示すように、釣竿２の左右方向に移動し、釣竿２と激しく摺動してしまうことがあり、その場合には、釣糸４が摩擦によって切断されてしまうおそれもある。
【０００４】
従来から、釣糸が摩擦によって切断されるのを防ぐために、釣糸ガイドの構造が改良されている（例えば、特許文献１参照）。
従来では、釣糸が摩擦により切断される原因は、主として釣糸と釣糸ガイドとの摩擦であると考えられており、そのために、釣糸ガイドは、釣糸との滑らかな摺動を実現するための種々の改良が施されている。
【０００５】
【特許文献１】
実開昭５４−２２０９６号公報　（第２図）
【０００６】
本発明はかかる背景のもとになされたものであり、その目的は、釣竿と釣糸との接触を防止することができる釣竿（ベイトキャスティング用ロッド）を提供することである。
【０００７】
【課題を解決するための手段】
（１）　上記目的を達成するため、本願に係る釣竿は、細長棒状に形成された釣竿本体と、釣竿本体の基端部を支持すると共に釣糸が繰出又は巻取自在に巻回された釣用リールを保持するグリップと、釣竿本体の上面に長手方向に沿って複数配置され、釣糸を支持案内する釣糸ガイドとを有し、当該釣糸ガイドは、上記釣糸に所定の張力が生じた場合に当該釣糸を上記釣竿本体の中心軸に対して径方向に移動させて所定位置に付勢する付勢機構を備えていることを特徴とするものである。
【０００８】
この構成によれば、釣用リールから繰り出された釣糸は、各釣糸ガイド内に挿通され、各釣糸ガイドによって案内される。魚がヒットしたときは、釣糸が引っ張れて張力が生じると共に、釣竿本体が湾曲する。これにより、釣糸は、釣糸ガイドに押し付けられるようにして支持案内される。
このとき、付勢機構により、当該釣糸は、釣竿本体の中心軸に対して径方向に移動され、所定の位置に付勢される。つまり、釣糸は、釣竿本体の軸方向に対して径方向にずれた位置に付勢された状態で配置されるから、釣竿本体が大きく湾曲した場合であっても、釣糸は釣竿本体と接触することがない。また、仮に釣糸が釣竿本体に接した場合であっても、釣糸が上記位置に付勢されているから、釣糸が釣竿本体の径方向に揺動することがない。
【０００９】
（２）　上記釣糸ガイドは、釣竿本体に固定されたガイドフレームと、ガイドフレームに支持され、上記釣糸を支持する支持部を備えたガイドリングとを有し、上記付勢機構は、上記支持部に形成され、上記釣竿本体の径方向に延びる釣糸載置面を有して構成される。
この構成では、魚がヒットして釣糸に張力が生じた場合は、釣糸が釣糸載置面に押し付けられる。この釣糸載置面は、釣竿本体の径方向に延びているから、当該張力が生じている釣糸が釣糸載置面の中央部に位置するときは、その位置が保持されず非常に不安定な状態となる。したがって、釣糸は、張力が生じたときは、釣竿本体の軸方向に対して径方向のいずれかの方向に移動し、当該張力に起因する押圧力で釣糸載置面の端部に付勢される。
【００１０】
（３）　上記釣糸載置面は、平面に形成されているのが好ましい。
釣糸載置面が平面に形成されることによって、当該釣糸載置面が簡単に構成される。したがって、上記付勢機構が安価に構成され、釣竿全体の製造コストの上昇が抑えられる。
【００１１】
（４）　上記付勢機構は、少なくとも釣竿本体の穂先部に配置されている釣糸ガイドに備えられているのが好ましい。
釣竿が湾曲した場合に、釣糸と釣竿本体とが接触するのは、主として釣竿本体の穂先部である。なぜなら、魚がヒットした場合には、この穂先部が最も湾曲されるからである。
したがって、釣竿本体のうち釣糸と接触するおそれのある部分に配置されている釣糸ガイドにのみ上記付勢機構が備えられるのみで、釣糸と釣糸本体との接触を効果的に回避することができる。しかも、付勢機構が設けられた釣糸ガイド以外の釣糸ガイドは、従来のものと同様のものが採用され得るから、釣竿全体の製造コストの上昇を抑えることができる。
なお、上記「穂先部」とは、釣竿全体の長さＬａ（釣竿本体の先端からグリップの後端までの距離）に対して、釣竿本体の先端からＬａ／４の位置までをいう。
【００１２】
【発明の実施の形態】
以下、適宜図面が参照されつつ、好ましい実施形態に基づいて本発明が詳細に説明される。
【００１３】
図１は、本発明の一実施形態に係る釣竿１０の正面図である。
釣竿１０は、ベイトキャスティングリールが装着されるタイプのもので、釣竿本体１１と、釣竿本体１１の基端部に設けられたグリップ１２と、釣竿本体１０の軸方向に沿って複数配置された釣糸ガイド１３とを備えている。
【００１４】
釣竿本体１１は、全体として細長棒状に形成されており、所定のテーパを有する。すなわち、釣竿本体１１は、その基端部側の外径が大きく設定されており、先端側に向かって外径が漸次小さくなるように形成されている。
釣竿本体１１は既知の要領で構成される。例えば、カーボンプリプレグが所定形状に裁断され、これが筒状に巻回されることによって、円筒状の釣竿本体１１が形成される。
なお、釣竿本体１１は、複数の円筒状部材が連結されて構成されるものであってもよい。すなわち、上記要領により外径の異なる円筒状部材が複数形成され、これらが所定の連結構造（例えば並継等）により軸方向に連結されることによって、釣竿本体１１が構成されていてもよい。
【００１５】
グリップ１２は、例えばコルクや合成樹脂等により構成されている。グリップ１２は、既知の構造を有し、釣用リール１４を保持するリールシート１５を備えている。リールシート１５は、釣用リール１４の脚部を挟持することによって釣用リール１４を保持している。
グリップ１２の内部には、釣竿収容室が形成されている。この釣竿収容室はグリップ１２の先端面１６に開口を有し、グリップ１２の軸方向に沿って形成されている。釣竿本体１１の基端部は、グリップ１２の先端面１６からグリップ１２の内部に挿通され、支持されている。
【００１６】
釣糸ガイド１３は、図１が示すように、釣竿本体１１に複数配置されている（１３ａ〜１３ｈ）。釣糸ガイド１３の個数は特に限定されず、所定のスパンで釣竿本体１１の長手方向に沿って配置されている。
釣糸ガイド１３は、上記リールシート１５が設けられた方向に突出するように配置されており、釣竿１０は、釣糸ガイド１３が上方に向けられた状態で使用される。
【００１７】
釣竿本体１１の先端に設けられた釣糸ガイド１３ａは、第１番釣糸ガイドと称され、第１番釣糸ガイド１３ａから順に第２番釣糸ガイド１３ｂ、第３番釣糸ガイド１３ｃと称される。
なお、、本実施形態に係る釣竿１０では、釣用リール１４に最も近い位置に配置されている釣糸ガイド１３ｈ及びこれと隣り合う釣糸ガイド１３ｇは、釣糸２７を支持する際に最も大きな支持力が作用するため、両端支持構造により釣竿本体１１に連結されている。これに対して、その他の釣糸ガイド１３ａ〜１３ｆは、いわゆる片持ち状に釣竿本体１１に連結されている。もっとも、すべての釣糸ガイド１３が、上記両端支持構造により釣竿本体１１に連結されていてもよいことは勿論である。
【００１８】
図２は、釣糸ガイド１３ｈの斜視図であり、図３は正面図である。
この釣糸ガイド１３ｈは、後に詳述される付勢機構１７を備えている。
釣糸ガイド１３ｈは、ガイドフレーム１８と、ガイドリング１９とを備えており、このガイドリング１９によって上記付勢機構１７が構成されている。
【００１９】
ガイドフレーム１８は、たとえばチタン合金等により構成されており、フレーム本体２０と脚部２１，２２とを備えている。
フレーム本体２０は環状に形成されており、本実施形態では開拡角度が１８０°の扇形に形成されている。また、脚部２１，２２は、フレーム本体２０の下面２３に延設されている。各脚部２１，２２の先端部２４，２５は、釣竿本体１１の長手方向に沿わされており、これらが前述の支持構造により釣竿本体１１に連結されている。
【００２０】
ガイドフレーム１８の全高Ｈ（釣竿本体１１の上面２６からガイドフレーム１８の上端までの高さ）は、従来のガイドフレームの全高と同様の寸法に設定されている。もっとも、この全高Ｈは、従来のガイドフレームの全高よりも大きくても、小さくてもよいことは言うまでもない。
【００２１】
ガイドリング１９は、例えばシリコンカーバイド（ＳｉＣ）により構成されている。ガイドリング１９は、その外形形状が扇形に形成されており、上記ガイドフレーム１８の内面形状に対応している。したがって、ガイドリング１９は、ガイドフレーム１８の内部にぴったりと嵌め込まれて固定されている。
ガイドリング１９は、図２及び図３が示すように、リング状に形成されており、その内面形状は、開拡角度が１８０°の扇形に形成されている。
【００２２】
ガイドリング１９は、実際に釣糸２７が挿通された際に釣糸２７が支持される支持部１９ａを備えている。この支持部１９ａの上面は、釣糸２７が載置される釣糸載置面２８を構成している。なお、この釣糸載置面２８に連続して、円弧状面２９が形成されている。
釣糸載置面２８は、水平に形成されている。すなわち、釣糸載置面２８は、平面であり、釣竿本体１１の径方向に沿う方向に形成されている。そして、この釣糸載置面２８により、上記付勢機構１７が構成されている。釣糸載置面２８の作用効果については、後述される。
【００２３】
釣糸載置面２８の高さｈ（釣竿本体１１の上面２６から釣糸載置面２８までの高さ）は、従来のガイドリングと同様の寸法に設定されている。もっとも、この高さｈの寸法は、釣竿本体１１の外径寸法ｄ等に応じて、適宜設計変更されるものである。
また、釣糸載置面２８の幅寸法Ｌ（釣竿本体１１の径方向に沿う寸法）は、釣竿本体１１の外形寸法ｄに対して、３０％〜５００％に設定される。ただし、寸法Ｌは、寸法ｄに対して４０％〜２００％に設定されるのが好ましい。
【００２４】
また、円弧状面２９は、釣糸載置面２８の端部に滑らかに連続し、上方へ円弧状に湾曲されている。
なお、本実施形態では、釣糸載置面２８と円弧状面２９とが連続する部分３０は、曲面に形成されている。これにより、ガイドリング１９に挿通される釣糸２７が上記部分３０に引っ掛かることはない。もっとも、この部分３０は、曲面に形成されている必要はない。
【００２５】
本実施形態に係る釣竿１０では、図１が示すように、釣用リール１４から繰り出された釣糸２７は、釣糸ガイド１３に挿通支持されて案内される。魚がヒットしたときは、釣糸２７が引っ張れて張力が生じ、これと共に釣竿本体１１が矢印３１の方向に湾曲する。そして、釣糸２７は、釣糸ガイド１３に押し付けられるようにして支持される。
【００２６】
このとき、釣糸２７は、図３が示すように、釣糸載置面２８に押し付けられる。この釣糸載置面２８は、釣竿本体１１の径方向に水平に延びているから、張力が生じている釣糸２７が釣糸載置面２８の中央部に位置するときは、その位置が保持されず非常に不安定な状態となる。したがって、張力が生じた釣糸２７は、釣糸載置面２８上で左右のいずれかの方向に移動し、釣糸載置面２８の端部に押し付けられる。すなわち、釣糸２７は、当該張力に起因する押圧力で釣糸載置面２８の端部に付勢される。
【００２７】
また、他のすべての釣糸ガイド１３ａ〜１３ｇについても、釣糸ガイド１３ｈと同様の構成である。すなわち、各釣糸ガイド１３ａ〜１３ｇは、そのガイドフレームのフレーム本体及びガイドリングの形状は、釣糸ガイド１３ｇの上記フレーム本体２０及びガイドリング１９と相似形に形成されている。このため、他のすべての釣糸ガイド１３ａ〜１３ｇについても同様に、釣糸２７は、釣糸載置面の端部に付勢される。
【００２８】
したがって、釣竿本体１１が大きく湾曲した場合であっても、釣糸２７は、釣糸ガイド１３の各釣糸載置面（２８）の端部に付勢されることにより、釣竿本体１１の中心軸線からずらされるので、釣竿本体１１と接触することがない。
また、仮に釣糸２７が釣竿本体１１に接した場合であっても、釣糸２７が各釣糸載置面（２８）の端部に付勢されているから、釣糸２７が左右に（釣竿本体１１の径方向に）揺動することがない。
これにより、釣糸２７が釣竿本体１１と激しく摺動することはなく、その結果、釣竿本体１１との摺動を原因として釣糸２７が切断されるおそれはない。
【００２９】
また、本実施形態に係る釣糸ガイド１３は、従来の釣糸ガイド（ガイドリングが円形に形成されたもの）のガイドリングが二分割された形状に形成されることによっても構成される。つまり、釣糸ガイド１３は、従来の円形のガイドリングの上半分が採用された半円形に形成されていてもよい。このようにして釣糸ガイド１３が形成されることによって、釣糸ガイド１３の全高（Ｈ）は従来の釣糸ガイドと同様でありながら、釣糸載置面（２８）の高さ（ｈ）のみを高くすることができる。
これにより、釣糸ガイド１３によって支持された釣糸２７は、釣竿本体１１からより離隔され、釣糸２７と釣竿本体１１との接触は一層効果的に回避されるという利点がある。
【００３０】
本実施形態では、上記釣糸２７を上記釣糸載置面（２８）の端部に付勢するための付勢機構１７は、水平に形成された釣糸載置面（２８）により構成されている。このため、釣糸ガイド１３において、釣糸載置面（２８）は簡単に構成され、その結果、釣竿１０全体の製造コストの上昇が抑えられる。
【００３１】
また、図４は、本実施形態の変形例に係る釣糸ガイド１３ｈの正面図である。本変形例が示すように、釣糸載置面２８ａは、水平面ではなく、その端部が下方へ傾斜した湾曲面に形成されていてもよい。もっとも、当該釣糸載置面２８ａは、湾曲面に代えて傾斜面に形成されていてもよい。
このように釣糸載置面２８ａが湾曲面等に形成されることにより、釣糸２７は、一層効果的に釣糸載置面２８ａの端部に寄せられ、その状態が保持される。したがって、なお一層釣糸２７と釣竿本体１１との接触が回避されることになる。なお、本変形例では、フレーム本体２０の角部２０ａは、面取加工が施され、いわゆるアール面に形成されている。これにより、釣糸ガイド１３間に配置される釣糸２７がフレーム本体２０に引っ掛かってしまうことはない。もっとも、この角部２０ａは、面取加工が施されていなくてもよいことは勿論である。
【００３２】
加えて、本実施形態及び上記変形例では、各釣糸ガイド１３ａ〜１３ｈのすべてが上記付勢機構１７を備えているが、釣糸ガイド１３の一部のみが上記付勢機構１７を備えている構成であってもよい。具体的には、少なくとも、釣竿本体１１の穂先部Ｔに配置された釣糸ガイド１３ａ〜１３ｅのみが上記付勢機構１７を備えているのが好ましい。
なお、本実施形態では、穂先部Ｔに配置された釣糸ガイド１３は、上記釣糸ガイド１３ａ〜１３ｅであるが、釣竿の仕様によって穂先部に配置される釣糸ガイドの数が異なる。本実施形態では、釣竿本体１１の穂先部Ｔとは、釣竿１０の全長Ｌａに対して、釣竿本体１１の先端からＬａ／４の位置までの範囲をいう。
【００３３】
釣竿本体１１の穂先部Ｔは、魚がヒットした場合に最も湾曲する部分である。つまり、魚がヒットした場合に、釣糸２７と釣竿本体１１とが接触する可能性の最も高い部分が上記穂先部Ｔである。したがって、釣竿本体１１のうち釣糸２７と接触するおそれの強い穂先部Ｔに配置されている釣糸ガイド１３ａ〜１３ｅにのみ上記付勢機構１７が備えられるのみで、釣糸２７と釣糸本体１１との接触を効果的に回避することができる。
しかも、釣糸ガイド１３ａ〜１３ｅ以外の釣糸ガイドは、従来のものと同様のものが採用され得るから、釣竿１０全体の製造コストの上昇を抑えることができるという利点もある。
【００３４】
なお、釣竿１０の仕様によっては、釣竿本体１１の根本部Ｂに配置された釣糸ガイド１３にのみ上記付勢機構１７が備えられていてもよい。
釣竿本体１１の根本部Ｂは、魚がヒットした場合であっても湾曲しにくい部分であるが、上記付勢機構１７が備えられることによって釣糸１７と釣竿本体１１との接触がより効果的に回避される。
特に、付勢機構１７が、前述のように半円形に形成されたガイドリング１９の釣糸載置面２８によって構成される場合（図３参照）は、釣糸２７は、釣竿本体１１から距離（ｈ）だけ離れた位置に支持されるので、従来の釣糸ガイドに比べて釣糸２７が釣竿本体１１からより離反された位置で支持される。これにより、釣糸２７は、釣竿本体１１と接触する可能性はきわめて低くなる。
【００３５】
【発明の効果】
以上のように本願発明によれば、魚がヒットした状態で釣糸は、付勢機構によって釣竿本体の径方向に付勢された状態で配置されるから、釣糸が釣竿本体の径方向に揺動することはない。したがって、釣糸が釣竿本体に対して径方向に強く摺動することはなく、その結果、このような釣竿本体と釣糸との摺動を原因として釣糸が切断されるおそれはない。
【図面の簡単な説明】
【図１】図１は、本発明の一実施形態に係る釣竿の正面図である。
【図２】図２は、本発明の一実施形態に係る釣糸ガイドの斜視図である。
【図３】図３は、本発明の一実施形態に係る釣糸ガイドの正面図である。
【図４】図４は、本発明の一実施形態の変形例に係る釣糸ガイドの正面図である。
【図５】図５は、従来のベイトキャスティングロッドの使用状態における正面図である。
【図６】図６は、図５における要部拡大平面図である。
【符号の説明】
１０・・・釣竿
１１・・・釣竿本体
１２・・・グリップ
１３・・・釣糸ガイド
１４・・・釣用リール
１７・・・付勢機構
１８・・・ガイドフレーム
１９・・・ガイドリング
１９ａ・・・支持部
２０・・・フレーム本体
２１・・・脚部
２２・・・脚部
２６・・・釣竿本体の上面
２７・・・釣糸
２８・・・釣糸載置面
Ｔ・・・穂先部
Ｌａ・・・全長
【図１】
2004081040.tif 000003
【図２】
2004081040.tif 000004
【図３】
2004081040.tif 000005
【図４】
2004081040.tif 000006
【図５】
2004081040.tif 000007
【図６】
2004081040.tif 000008